(57)【要約】      （修正有）【課題】緩衝材料を用いて、対向し合う２つの非光学面を支持した状態で光学部品を梱包することにより、振動衝撃による損傷や、容器内壁の削れによるゴミ発生を防止することができる光学部品梱包容器を提供する。【解決手段】光学部品２０を複数個収容する光学部品梱包容器１であって、上面に光学部品を載置するトレイ２と、トレイ上の光学部品を含む空間を包囲する蓋部材１０とを備え、トレイ上面には複数の光学部品を一列に配列した状態で各光学部品の底面中央部を支持する少なくとも一つの長尺な下側凸部３を備え、下側凸部上面には各光学部品底面と接着する下側弾性粘着部材５が設けられ、蓋部材の天井面には、各光学部品の上面中央部を支持する少なくとも一つの長尺な上側凸部１１を備え、上側凸部下面には各光学部品上面と接着する上側弾性粘着部材１３が設けられ、下側弾性粘着部材の接着力は上側弾性粘着部材の接着力よりも強く設定されている。【選択図】図１
2006199342.tif 000002
【特許請求の範囲】
【請求項１】
少なくとも２つの非光学面が平行に対向し合った多面体としての光学部品を複数個収容する光学部品梱包容器であって、上面に該光学部品を載置するトレイと、該トレイ上の光学部品を含む空間を包囲する蓋部材と、を備えたものにおいて、
前記トレイ上面には、複数の前記光学部品を一列に配列した状態で各光学部品の底面中央部を支持する少なくとも一つの長尺な下側凸部を備え、該下側凸部上面には各光学部品底面と接着する下側弾性粘着部材が設けられたものにおいて、
前記蓋部材の天井面には、各光学部品の上面中央部を支持する少なくとも一つの長尺な上側凸部を備え、該上側凸部下面には各光学部品上面と接着する上側弾性粘着部材が設けられ、
前記下側弾性粘着部材の接着力は、前記上側弾性粘着部材の接着力よりも強く設定されていることを特徴とする光学部品梱包容器。
【請求項２】
前記下側弾性粘着部材の合計接着面積を、前記上側弾性粘着部材の合計接着面積よりも大きくすることにより、前記下側弾性粘着部材の接着力を、前記上側弾性粘着部材の接着力よりも強く設定したことを特徴とする請求項１に記載の光学部品梱包容器。
【請求項３】
前記下側凸部の個数を、前記上側凸部の個数よりも多くすることにより、前記下側弾性粘着部材の接着力を、前記上側弾性粘着部材の接着力よりも強く設定したことを特徴とする請求項１に記載の光学部品梱包容器。
【請求項４】
少なくとも２つの非光学面が平行に対向し合った多面体としての光学部品を複数個収容する光学部品梱包容器であって、上面に該光学部品を載置するトレイと、該トレイ上の光学部品を含む空間を包囲する蓋部材と、を備え、
前記トレイ上面には、複数の前記光学部品を一列に配列した状態で各光学部品の底面中央部を支持する少なくとも一つの長尺な下側凸部と、該下側凸部上面に配置されて各光学部品下面と接着する下側弾性粘着部材と、を備えたものにおいて、
前記蓋部材の天井面には、各光学部品の上面中央部を支持する少なくとも一つの長尺な上側凸部を備えたことを特徴とする光学部品梱包容器。
【発明の詳細な説明】
【技術分野】
【０００１】
本発明は、多面体としての光学部品を十分な緩衝性を確保しつつ方向性よく整列保持して、次工程、或いはアッセンブリメーカーに提供することを可能とした光学部品梱包容器に関する。
【背景技術】
【０００２】
光ピックアップ、その他の光学装置に使用される光学部品としてのビームスプリッタやプリズム等の多面体は、小型化の要請によって数ｍｍ角の微小寸法に構成されているが、サイズの大小を問わず、光学部品は衝撃による損傷や、ゴミ等の異物付着による不良品化を防止するために、その取扱には最大限の配慮が必要である。そのため、運搬中に衝撃や振動が加わった場合の耐衝撃性、ゴミ等の付着防止等を考慮した梱包容器が従来から種々提案されている。
例えば、特開２００１−２１６７公報には、光学デバイス収容用の貫通孔を有したケース本体の貫通孔底面に粘着シートを張設して光学デバイスの一面をこの粘着シートの粘着面によって接着保持するようにした光学デバイス用梱包が開示されている。この従来例にあっては、ケース本体の下面側から衝撃が加わった場合に、その衝撃が直接光学デバイスに伝わるため、光学デバイスがケース本体内面と衝突することによって破損したり、ケース本体内壁が削られることにより発生したゴミが光学デバイスに付着する等の不具合が発生する。また、光学デバイスの一面を接着支持するだけの構造であるため、衝撃に対する保持力が十分でなかった。
特開平９−３０５９３号公報には、下ケース内底面に薄板状のクッション部材を介して接着シートを配置し、光学デバイス面をクッション部材を介して接着支持するようにした構成が開示されている。しかし、この従来例は薄肉のクッション部材を介して光学デバイスの一面を下ケース内底面から浮かせた状態で支持しているに過ぎないため、加えられる衝撃、光学デバイスの形状によっては、光学デバイスがケース内底面と衝突して損傷したり、ケースを削ってゴミを発生させる、といった不具合が発生する。
【０００３】
次に、特開２００２−３７０７８０公報には、下ケース内底面に設けた突起状の接着部材によって光学部品の底面（非光学面）中央部をクッションを介して接着支持すると共に、上ケース天井面に設けたエアークッションによって光学部品の上面全体（非光学面）を支持する構成や、ＰＥＴから成る下ケース内底面によって光学デバイス底面を全面的に支持すると共に光学デバイス上面の中央部のみをＰＥＴからなる上ケースに設けた突起によって支持する構成や、更にはＰＥＴから成る下ケース内底面によって光学部品の底面全体を直接接着支持すると共に、上ケース天井面に配置したエアークッションによって光学部品の上面全体を支持する構成が開示されている。
しかし、上記従来例は何れも光学部品の側面（光学面）と対応する位置にクッション部材を配置する構成であるため、下ケースの横方向の容積が増大すると共に、廃棄されるゴミの量が増大するという問題が起きる。このクッション部材が光学面と接触することによる光学面の損傷、ゴミ付着という問題も発生する。また、ＰＥＴからなる下ケース或いは上ケースと光学部品が直接接触しているため、ＰＥＴ部分が削られてゴミを発生する可能性が高まる。
【特許文献１】特開２００１−２１６７公報
【特許文献２】特開平９−３０５９３号公報
【特許文献３】特開２００２−３７０７８０公報
【発明の開示】
【発明が解決しようとする課題】
【０００４】
本発明は上記に鑑みてなされたものであり、必要最小限の緩衝材料を用いて、立方体、直方体、その他の多面体から成る光学部品の対向し合う２つの非光学面を支持した状態で梱包することによって、振動衝撃による光学部品の損傷や、容器内壁の削れによるゴミ発生という不具合を解決することができる光学部品梱包容器を提供することを目的としている。
【課題を解決するための手段】
【０００５】
上記課題を解決するため、請求項１の発明は、少なくとも２つの非光学面が平行に対向し合った多面体としての光学部品を複数個収容する光学部品梱包容器であって、上面に該光学部品を載置するトレイと、該トレイ上の光学部品を含む空間を包囲する蓋部材と、を備えたものにおいて、前記トレイ上面には、複数の前記光学部品を一列に配列した状態で各光学部品の底面中央部を支持する少なくとも一つの長尺な下側凸部を備え、該下側凸部上面には各光学部品底面と接着する下側弾性粘着部材が設けられたものにおいて、前記蓋部材の天井面には、各光学部品の上面中央部を支持する少なくとも一つの長尺な上側凸部を備え、該上側凸部下面には各光学部品上面と接着する上側弾性粘着部材が設けられ、前記下側弾性粘着部材の接着力は、前記上側弾性粘着部材の接着力よりも強く設定されていることを特徴とする。
請求項２の発明は、請求項１において、前記下側弾性粘着部材の合計接着面積を、前記上側弾性粘着部材の合計接着面積よりも大きくすることにより、前記下側弾性粘着部材の接着力を、前記上側弾性粘着部材の接着力よりも強く設定したことを特徴とする。
請求項３の発明は、請求項１において、前記下側凸部の個数を、前記上側凸部の個数よりも多くすることにより、前記下側弾性粘着部材の接着力を、前記上側弾性粘着部材の接着力よりも強く設定したことを特徴とする。
請求項４の発明は、少なくとも２つの非光学面が平行に対向し合った多面体としての光学部品を複数個収容する光学部品梱包容器であって、上面に該光学部品を載置するトレイと、該トレイ上の光学部品を含む空間を包囲する蓋部材と、を備え、前記トレイ上面には、複数の前記光学部品を一列に配列した状態で各光学部品の底面中央部を支持する少なくとも一つの長尺な下側凸部と、該下側凸部上面に配置されて各光学部品下面と接着する下側弾性粘着部材と、を備えたものにおいて、前記蓋部材の天井面には、各光学部品の上面中央部を支持する少なくとも一つの長尺な上側凸部を備えたことを特徴とする。
【発明の効果】
【０００６】
本発明によれば、上下の凸部によって光学部品の上下面中央部を挟圧保持すると共に、下側弾性粘着部材の接着力を上側弾性粘着部材の接着力よりも強く設定したので、衝撃、振動が加わっても光学部品が両凸部間からずれたり、落下することがない。また、衝撃等によって光学部品が振動する方向は左右方向に限られ、蓋部材の内壁との間や、トレイとの間に十分な距離を確保しておくことにより、該内壁等と衝突して光学部品を損傷したり、内壁等を構成する材料がゴミとなって容器内に飛散して光学部品の光学面に付着する等の不具合がなくなる。更に、蓋部材を開放したときに光学部品は下側凸部上の弾性粘着部材によって保持された状態を維持することができる。
【発明を実施するための最良の形態】
【０００７】
以下、本発明を図面に示した実施の形態により詳細に説明する。
図１（ａ）は本発明の一実施形態に係る光学部品梱包容器の構成を示す正面縦断面図、（ｂ）はトレイの一例を示す外観斜視図、（ｃ）は光学部品を保持した状態の要部斜視断面図である。
この光学部品梱包容器１は、図１（ｃ）に示すように、少なくとも２つの非光学面２０ａ、２０ｂが平行に対向し合った多面体としての光学部品２０を複数個収容するための構成を備えている。図示した光学部品２０は、矩形平板状を有しており、その前後面２０ｃが光学面となっている。
光学部品梱包容器１は、上面が開放し上面（内底面）２ａに光学部品２０を載置するトレイ（下ケース）２と、トレイ２上の空間を包囲する蓋部材１０と、を備えている。トレイ２の形状としては図示のような平板状であってもよいし、箱形であっても良い。
トレイ２の上面２ａには、複数の光学部品２０を一列に配列した状態で夫々の底面中央部を支持する少なくとも一つの長尺な下側凸部３を備え、下側凸部３の平坦な上面にはクッション部材４と、各光学部品底面と接着する下側接着層５が設けられている。なお、この例では、下側凸部３の上面にクッション部材４を固定するための接着層６が設けられている。
クッション部材４と各接着層５、６は、下側弾性粘着部材（両面テープ）を構成している。下側弾性粘着部材は、粘着性とクッション性を有した単一材料からなる部材としてもよい。
蓋部材１０の天井面１０ａには、各光学部品２０の上面中央部を支持する少なくとも一つの長尺な上側凸部１１を備え、上側凸部１１の平坦な下面にはクッション部材１２と、各光学部品底面と接着する上側接着層１３が設けられている。なお、この例では、上側凸部１１の下面にクッション部材１２を固定するための接着層１４が設けられている。
クッション部材１２と各接着層１３、１４は、上側弾性粘着部材（両面テープ）を構成している。上側弾性粘着部材は、粘着性とクッション性を有した単一材料からなる部材としてもよい。
トレイ２、及び蓋部材１０は、ＡＢＳ、ＰＰ、ＰＳ、ポリカ等の樹脂材料にて構成する。トレイ２は、図示のような平板状に限らず、外壁を有した箱形であってもよい。また、蓋部材１０も図示のような箱形に限らず、平板状であってもよい。
下側、及び上側弾性粘着材としては、例えば、ポリウレタンシート、ポリオレフィン系、アクリル系、シリコン系樹脂から成る弾性部材の表裏両面に粘着材を塗布して両面テープ状の弾性粘着材として構成してもよい。粘着材としてはゲル状のものを用いても良い。
下側凸部３と上側凸部１１は、蓋部材１０をトレイ２上に閉止した状態において対向し合うように設定する。下側凸部３の上面の面積と、上側凸部１１の下面の面積は、必ずしも同一である必要はない。
【０００８】
本実施形態の特徴的な構成は、下側接着層５（下側弾性粘着部材）の接着力を、上側接着層１３（上側弾性粘着部材）の接着力よりも強く設定した点にある。
このように構成することにより、光学部品の梱包に際して、トレイ２の下側接着層５上に光学部品２０を所定のピッチにて配列するために、各光学部品２０の底面中央部を下側接着層５上に載置して接着保持させてから、蓋部材１０を位置合わせしつつトレイ２上に被せて閉止することにより、上側凸部下面の上側接着層１３が各光学部品の上面中央部と接着しつつ各クッション部材４、１２を介して各光学部品の上下面を挟圧保持することができる。このため、蓋部材を閉止した状態において、光学部品は両凸部間に挟圧保持されるだけでなく、両凸部と接着しつつ挟圧保持された状態となるので、衝撃、振動が加わっても光学部品が両凸部間からずれたり、落下することがない。また、光学部品は上下の中央部を上下の凸部によって支持されているため、衝撃等によって光学部品が振動する方向は左右方向に限られ、蓋部材の内壁との間や、トレイとの間に十分な距離を確保しておくことにより、該内壁等と衝突して光学部品を損傷したり、内壁等を構成する材料がゴミとなって容器内に飛散して光学部品の光学面に付着する等の不具合がなくなる。
また、下側接着層５（下側弾性粘着部材）の接着力を、上側接着層１３（上側弾性粘着部材）の接着力よりも強く設定したので、蓋部材１０を取り外した時に光学部品２０は常に下側接着層５によって保持された状態にあり、光学部品が蓋部材の上側接着層１３側に貼り付いて取り出される不具合がなくなる。
【０００９】
次に、図２（ａ）及び（ｂ）は本発明の他の実施形態に係る光学部品梱包容器の構成を示す正面縦断面図であり、図１と同一部分には同一符号を付して説明する。この実施形態に係る光学部品梱包容器の特徴的な構成は、下側突起３を複数の小突起３ａから成る構成とした点にあり、上側突起１１は一個である。図２（ａ）の実施形態では、光学部品２０の下側面を２つの小突起３ａによって２点支持しており、（ｂ）の実施形態では光学部品２０の下側面を３つの小突起３ａによって３点支持している。各小突起３ａの先端部には、接着層５、６、クッション部材４から成る弾性粘着部材を配置することは図１の実施形態と同様である。
このように、光学部品２０の上側を上側突起１１の下面にて弾性的に接着保持する一方で、トレイ２側を複数の小突起３ａの上面によって弾性的に接着保持するようにしたので、蓋部材を閉止した状態における保持力が高まり、位置ずれ、脱落が防止される一方で、振動、衝撃による光学部品の揺れをも防止できる。更に、下側接着層（下側弾性粘着部材）と上側接着層（上側弾性粘着部材）として同等の接着力を有した材料を使用しながらも、下側接着層の合計面積が上側を上回るため、必然的に下側接着層の接着力が強くなり、光学部品が蓋部材の上側接着層１３側に貼り付いて取り出される不具合がなくなる。
【００１０】
次に、図３は本発明の他の実施形態に係る光学部品梱包容器の正面縦断面図であり、図１の実施形態と同一部分には同一符号を付して説明する。この実施形態に係る光学部品梱包容器１は、トレイ上面には複数の光学部品２０を一列に配列した状態で各光学部品の底面中央部を支持する少なくとも一つの長尺な下側凸部３と、下側凸部３上面に配置されて各光学部品下面と接着する下側弾性粘着部材４、５、６と、を備え、更に蓋部材１０の天井面１０ａに、各光学部品２０の上面中央部を支持する少なくとも一つの長尺な上側凸部１１を備えている。上側凸部下面には必要に応じてクッション部材を設ける。
この実施形態では、下側突起３の上面に弾性粘着部材４、５、６を設ける一方で、上側凸部１１は直接、或いはクッション部材を介して光学部品上面と接するように構成している。
この実施形態によれば、光学部品の上下各面の中央部を２点支持するので、蓋部材１０を閉止した状態において、光学部品は両凸部間に挟圧保持されるだけでなく、下側凸部３と接着しつつ挟圧保持された状態となるので、衝撃、振動が加わっても光学部品が両凸部間からずれたり、落下することがない。また、光学部品は上下の中央部を上下の凸部によって支持されているため、衝撃等によって光学部品が振動する方向は左右方向に限られ、蓋部材の内壁との間や、トレイとの間に十分な距離を確保しておくことにより、該内壁等と衝突して光学部品を損傷したり、内壁等を構成する材料がゴミとなって容器内に飛散して光学部品の光学面に付着する等の不具合がなくなる。更に、上側凸部１１と光学部品上面は接着していないので、蓋部材を開放したときに光学部品は下側凸部３上の弾性粘着部材によって保持された状態を維持することができる。
【図面の簡単な説明】
【００１１】
【図１】（ａ）は本発明の一実施形態に係る光学部品梱包容器の構成を示す正面縦断面図、（ｂ）はトレイの一例を示す外観斜視図、（ｃ）は光学部品を保持した状態の要部斜視断面図。
【図２】（ａ）及び（ｂ）は夫々本発明の他の実施形態に係る光学部品梱包容器の縦断面図。
【図３】本発明の他の実施形態に係る光学部品梱包容器の縦断面図。
【符号の説明】
【００１２】
１  光学部品梱包容器、２  トレイ（下ケース）、３  下側凸部、４  クッション部材、５  下側接着層、１０  蓋部材、１１  上側凸部、１２  クッション部材、１３  上側接着層、１４  接着層、２０  光学部品。
【図１】
2006199342.tif 000003
【図２】
2006199342.tif 000004
【図３】
2006199342.tif 000005